(57)【要約】【課題】単一の冷却器で複数の温度帯室を冷却する冷凍冷蔵庫において、使用者が長期に亘りある特定の温度帯室を使用しない場合や、特定の温度帯室内の清掃を行う場合に、その他の温度帯室の冷却に影響を与えずに特定の温度帯室の冷却を停止することが可能な冷凍冷蔵庫を提供する。【解決手段】冷却器１０２と、複数の温度帯室（冷蔵室２、冷凍室３，４、野菜室５）と、冷却器１０２の冷気を複数の温度帯室へそれぞれ導く冷気風路１１０，１１２と、冷気風路１１０，１１２内に設置された開閉ダンパ１０１，１０３，１０７と、を備えた冷凍冷蔵庫において、冷却選択手段１０５を備え、冷却選択手段１０５で選択した又は選択されていない複数の温度帯室のいずれかへの冷気の供給を停止するように開閉ダンパ１０１，１０３，１０７を制御して、残りの複数の温度帯室へ冷気を供給する冷気供給モードを備える。【選択図】  図１
2015021654.tif 000002
【特許請求の範囲】
【請求項１】
冷却器と、複数の温度帯室と、前記冷却器の冷気を前記複数の温度帯室へそれぞれ導く冷気風路と、前記冷気風路内に設置された開閉ダンパと、を備えた冷凍冷蔵庫において、
冷却選択手段を備え、該冷却選択手段で選択した又は選択されていない前記複数の温度帯室のいずれかへの冷気の供給を停止するように前記開閉ダンパを制御して、残りの前記複数の温度帯室へ冷気を供給する冷気供給モードを備えたことを特徴とする冷凍冷蔵庫。
【請求項２】
請求項１記載の冷凍冷蔵庫において、前記複数の温度帯室は、少なくとも野菜室と、冷蔵室とを含み、前記開閉ダンパは前記冷蔵室と前記野菜室への冷気の供給を制御する構成であって、前記野菜室の温度を切り替える野菜室温度切替手段と、前記開閉ダンパを制御する制御装置とを備え、前記冷蔵室への冷気の供給を停止して、前記野菜室への冷気を供給する冷気供給モードを備えることで、前記野菜室を前記冷蔵室の温度帯で冷却することを特徴とする冷凍冷蔵庫。
【請求項３】
請求項１記載の冷凍冷蔵庫において、前記複数の温度帯室のいずれかの冷気供給を停止する期間を設定する冷却予約手段を備えたことを特徴とする冷凍冷蔵庫。
【発明の詳細な説明】
【技術分野】
【０００１】
本発明は、冷凍冷蔵庫に関する。
【背景技術】
【０００２】
本技術分野の背景技術として、特開２００４−２５１５１５号公報（特許文献１）がある。この公報には、「２つの冷却器と、凝縮器、圧縮機、前記凝縮器からの冷媒を冷蔵用冷却器や冷凍用冷却器に流すよう切替えるための流路切替弁である三方弁などを備えた冷凍冷蔵庫において、使用者が長期の旅行に出かけるに際し、冷蔵室を使用しない場合に冷凍室の冷却を止めずに冷蔵室を止めることにより、電気代を節約したいという課題がある。この課題に対し、使用者により操作可能な冷蔵室冷却選択手段と、この操作手段の操作に基づいて前記凝縮器からの冷媒を前記冷蔵用冷却器に流さないように前記三方弁を切替え制御する制御装置であるマイクロコンピュータを設けることで解決する。」と記載されている。
【先行技術文献】
【特許文献】
【０００３】
【特許文献１】特開２００４−２５１５１５号公報
【発明の概要】
【発明が解決しようとする課題】
【０００４】
前記特許文献１には、冷却器を複数備え、冷凍室の冷却を停止せずに冷蔵室の冷却を停止する構成が記載されている。しかし、この構成では冷却器を複数備えるため、冷凍サイクルの構成が複雑となり、冷蔵庫本体における冷凍サイクルの占有率が増加して、貯蔵空間の減少を招く。
【０００５】
また、単一の冷却器で異なる温度帯室を冷却する構成の場合、異なる温度帯室の各々の設定温度に基づく冷却制御が必要であり、ある特定の温度帯室を冷却停止状態、その他の温度帯室を冷却状態とする特定の温度帯室に特化した冷却モードを行うことが困難であった。
【０００６】
そこで、本発明は、単一の冷却器で複数の温度帯室を冷却する冷凍冷蔵庫において、使用者が長期に亘りある特定の温度帯室を使用しない場合や、特定の温度帯室内の清掃を行う場合に、その他の温度帯室の冷却に影響を与えずに特定の温度帯室の冷却を停止することが可能な冷凍冷蔵庫を提供する。
【課題を解決するための手段】
【０００７】
上記課題を解決するために、例えば特許請求の範囲に記載されている構成を採用する。
【０００８】
本願は上記課題を解決する手段を複数含んでいるが、その一例を挙げるならば、冷却器と、複数の温度帯室と、前記冷却器の冷気を前記複数の温度帯室へそれぞれ導く冷気風路と、前記冷気風路内に設置された開閉ダンパと、を備えた冷凍冷蔵庫において、冷却選択手段を備え、該冷却選択手段で選択した又は選択されていない前記複数の温度帯室のいずれかへの冷気の供給を停止するように前記開閉ダンパを制御して、残りの前記複数の温度帯室へ冷気を供給する冷気供給モードを備えたことを特徴とする。
【発明の効果】
【０００９】
本発明によれば、単一の冷却器で複数の温度帯室を冷却する冷凍冷蔵庫において、使用者が長期に亘りある特定の温度帯室を使用しない場合や、特定の温度帯室内の清掃を行う場合に、その他の温度帯室の冷却に影響を与えずに特定の温度帯室の冷却を停止することが可能な冷凍冷蔵庫を提供することができる。
【００１０】
上記以外の課題、構成及び効果は、以下の実施形態の説明により明らかにされる。
【図面の簡単な説明】
【００１１】
【図１】通常冷却時の冷気の流れを示した冷凍冷蔵庫の縦断面図
【図２】冷蔵室と野菜室が冷却停止、冷凍室が冷却時の冷気の流れを示した冷凍冷蔵庫の縦断面図
【図３】冷蔵室が冷却停止、冷凍室と野菜室が冷却時の冷気の流れを示した冷凍冷蔵庫の縦断面図
【図４】野菜室が冷却停止、冷蔵室と冷凍室が冷却時の冷気の流れを示した冷凍冷蔵庫の縦断面図
【図５】冷蔵室の冷却を停止し、野菜室を冷蔵室と同様の温度帯まで冷却する際の冷気の流れを示した冷凍冷蔵庫の縦断面図
【図６】手動で冷却停止を行えるシャッターを備えた冷凍冷蔵庫の縦断面図
【発明を実施するための形態】
【００１２】
本発明は、冷却器１０２と、複数の温度帯室（冷蔵室２、冷凍室３，４、野菜室５）と、冷却器１０２の冷気を複数の温度帯室へそれぞれ導く冷気風路１１０，１１２と、冷気風路１１０，１１２内に設置された開閉ダンパ１０１，１０３，１０７と、を備えた冷凍冷蔵庫において、冷却選択手段１０５を備え、冷却選択手段１０５で選択した又は選択されていない複数の温度帯室のいずれかへの冷気の供給を停止するように開閉ダンパ１０１，１０３，１０７を制御して、残りの複数の温度帯室へ冷気を供給する冷気供給モードを備える。これにより、設定された温度帯室の設定温度に適した冷凍サイクルの稼動、冷却制御が行えるため、設定された温度帯室の冷やし過ぎや冷却不足を防ぎ、省電力化に適した冷凍冷蔵庫を提供することができる。
【００１３】
さらに、複数の温度帯室は、少なくとも野菜室５と、冷蔵室２とを含み、開閉ダンパ１０１，１０３，１０７は冷蔵室２と野菜室５への冷気の供給を制御する構成であって、野菜室５の温度を切り替える野菜室温度切替手段１０６と、開閉ダンパ１０１，１０３，１０７を制御する制御装置とを備え、冷蔵室２への冷気の供給を停止して、野菜室５への冷気を供給する冷気供給モードを備えることで、野菜室５を冷蔵室２の温度帯で冷却する。これにより、野菜室５を冷蔵室２と同等の温度帯に冷却制御するため、冷蔵温度帯空間を拡大でき、野菜室５に野菜以外のものを貯蔵する使用状態に合わせて、適切な冷蔵保存ができる。
【００１４】
さらに、複数の温度帯室のいずれかの冷気供給を停止する期間を設定する冷却予約手段１１１を備える。これにより、特定の温度帯室を使用したい時間を予め設定することで、特定の温度帯室を使用したい時にすぐに使用できるように冷却停止を解除・冷却運転を開始することができる。例えば、製氷室を特定の温度帯室とした場合、使用時間を設定することで、使用時間に合わせて製氷を完了させることができ、製氷完了までの時間を待つ煩わしさを低減できる。
【実施例１】
【００１５】
本発明の実施例について、図面を用いて説明する。図１は、通常冷却時の冷気の流れを示した冷凍冷蔵庫の縦断面図である。
【００１６】
冷凍冷蔵庫本体１は、図１のように、上から冷蔵室２、冷凍室３，４、野菜室５が配置されている。冷蔵室２と冷凍室３の間は、冷気風路１１０の部分を除き上下に断熱的に区画されている。同様に、冷凍室４と野菜室５の間は、冷気風路１１２の部分を除き上下に断熱的に区画されている。さらに、本実施形態では、圧縮機１０４、冷却選択手段１０５、野菜室温度切替手段１０６、温度補償ヒータ１０８を備えている。
【００１７】
冷蔵室２へ冷気を供給する冷気風路１１０には、冷蔵室用電動開閉ダンパ１０１が配置されている。また、冷凍室３，４に冷気を供給する冷気風路１１２には、冷凍室用電動開閉ダンパ１０７が配置されている。また、野菜室５に冷気を供給する冷気風路（図示せず）には、野菜室用電動開閉ダンパ１０３が配置されている。なお、図１では説明の便宜上、各冷気風路が部分的に連通している構成であるが、これに限定されず、それぞれが独立した風路を構成することで、他の風路からの熱影響を受けず、冷却効率を高めることができる。
【００１８】
なお、本実施例では、冷却器１０２からの冷気が流れる冷気風路１１０，１１２の途中に、冷蔵室用電動開閉ダンパ１０１、野菜室用電動開閉ダンパ１０３、冷凍室用電動開閉ダンパ１０７をそれぞれ配置している。これにより、各冷気風路が部分的に連通する構成であっても、各開閉ダンパから下流ではそれぞれ独立した風路を形成しているため、他の風路からの熱影響を受けず、冷却効率を高めることができる。
【００１９】
各温度帯室（冷蔵室２、冷凍室３，４、野菜室５）の冷却は、冷却器１０２により冷却された冷気を冷気風路１１０，１１２から供給することで行う。各温度帯室への冷気風路の途中に冷蔵室用電動開閉ダンパ１０１、野菜室用電動開閉ダンパ１０３、冷凍室用電動開閉ダンパ１０７を備えることで、冷気の供給量を調整することが可能となる。図中の矢印は、冷気の流れを模式的に示している。
【００２０】
図１は、冷凍冷蔵庫の一例であって、各温度帯室の配置はこの位置でなくても構わない。例えば、冷蔵室２、野菜室５を上部に配置して、冷凍室３，４を下部に配置する構成や、冷蔵室２（野菜室５を含んでもよい）と、冷凍室３，４とが左右に並列配置された構成であってもよい。
【００２１】
また、冷却選択手段１０５、野菜室温度切替手段１０６、冷却予約手段１１１の位置は、庫外であっても庫内でも構わない。例えば、図１では冷蔵室扉２ａに冷却選択手段１０５、野菜室温度切替手段１０６、冷却予約手段１１１を配置したが、他の扉（冷凍室扉３ａ、冷凍室扉４ａ、野菜室扉５ａ）の庫外側又は庫内側、貯蔵室（冷蔵室２内、野菜室５内、冷凍室３，４）の内壁側又は外壁側等、操作可能な箇所であれば配置は限定されない。
【００２２】
また、冷却選択手段１０５、野菜室温度切替手段１０６、冷却予約手段１１１は、機械式のスイッチ、電気式のスイッチ、静電容量式のスイッチ等、あらゆる操作入力方式を採用することができる。
【００２３】
長期の旅行や庫内清掃などにより、冷蔵室２、野菜室５を使用しない場合、冷却は不要となる。この場合、冷蔵室２、野菜室５へ冷気を供給すると、無駄なエネルギーを消費する。そこで、冷却選択手段１０５を操作して、冷蔵室用電動開閉ダンパ１０１と野菜室用電動開閉ダンパ１０３を稼働させ、冷蔵室２への冷気風路１１０および野菜室への冷気風路（図示せず）を塞ぐことにより、冷蔵室２および野菜室５への冷気の供給を停止し、冷蔵室２および野菜室５の冷却を停止させる（図２）。
【００２４】
この冷気供給モードにより、冷蔵室２および野菜室５の冷却を行わず、冷凍室３，４の冷却にエネルギーを消費するため、冷蔵室２および野菜室５へ冷気を供給していた分、通常冷却時よりも高い節電効果が得られる。
【００２５】
本実施例の冷凍冷蔵庫は、各温度帯室の冷却停止時に冷却を停止しない他の温度帯室への冷気の供給に合わせた冷却制御を行うため、冷却を停止しない温度帯室は通常と同様に使用できる。
【００２６】
また、冷蔵室２を本来の冷蔵室（約４℃）に比べ高い温度帯の部屋（例えば冷暗所（常温又は常温よりもやや低温））として使用する場合、冷却選択手段１０５により冷蔵室２の冷却停止を選択することで、冷蔵室用電動開閉ダンパ１０１を稼働させ、冷蔵室２の冷気風路１１０を塞ぐ。すなわち、冷蔵室２への冷気の供給を停止し、冷蔵室２の冷却を停止させる。この時、隣接する冷凍室３からの伝熱により冷蔵室２が冷却されてしまう場合は、冷蔵室２の温度補償ヒータ１０８を稼働させ常温を保つこともできる（図３）。
【００２７】
本実施例の冷凍冷蔵庫は、冷凍室３，４の冷却を行った状態で、冷蔵室２の冷却を止めることができるため、冷蔵室２を冷蔵室２の温度帯よりも高い温度帯の保存室として使用することが可能となり、本来の冷蔵室（約４℃）ほどの冷却を必要としないものの保存や、果物などの熟成部屋として使用することができる。
【００２８】
また、本実施例の冷凍冷蔵庫は、野菜室５の冷気風路に冷蔵室用電動開閉ダンパ１０１と同様に野菜室用電動開閉ダンパ１０３を設置し、野菜室用電動開閉ダンパ１０３を制御する制御装置と、使用者が操作することのできる冷却選択手段１０５とを設けることで、冷凍室３，４の冷却を停止せずに野菜室５の冷却停止を行うことができる。
【００２９】
野菜室５の冷却停止をする場合、冷却手段１０５により野菜室５の冷却停止を選択することで、野菜室用電動開閉ダンパ１０３を稼働させ、野菜室５への冷気風路を塞ぐことにより、野菜室５への冷気の供給を停止し、野菜室５の冷却を停止させる（図４）。
【００３０】
また、その他の温度帯室についても上記と同様に１つ以上の温度帯室の冷却停止を行うか選択でき、選択されない温度帯室の冷却を停止せずに選択した温度帯室のみの冷却を停止することができる。
【００３１】
また、野菜室用電動開閉ダンパ１０３と野菜室温度切替手段１０６を設けることで、冷蔵室２の冷却を停止し、野菜室５を従来の冷蔵室（約４℃）と同様の温度帯まで冷却を行うことで、従来野菜室５（約６℃）であった部屋を冷蔵温度帯室として利用することが可能となる（図５）。
【００３２】
冷蔵室２の冷却を停止させ、野菜室５を冷蔵温度帯室として使用する場合、野菜室温度切替手段１０６を操作することで、冷蔵室用電動開閉ダンパ１０１を稼働させ、冷蔵室２への冷気風路１１０を塞ぐことにより、冷蔵室２への冷気の供給を停止して、冷蔵室２の冷却を停止させ、野菜室用電動開閉ダンパ１０３を稼働させ、野菜室５を従来の冷蔵室（約４℃）と同様の温度帯にするための適切な冷気を供給するように制御を行う。
【００３３】
また、冷却予約手段１１１を備えることで、冷却予約手段１１１を使用者が操作して冷却停止期間を設定でき、その期間を過ぎた場合は冷却停止を解除する。このとき、使用者は冷却停止期間を設定することができるので、冷却停止開始時刻の設定や、冷却停止解除時刻の設定を使用状態に合わせて行うことができる。
【実施例２】
【００３４】
本実施例では、図６に示すように、実施例１に加えて、冷却停止のために手動のシャッター１０９を開閉ダンパの前方（各温度帯室側）に設置する。この場合、冷却停止を行う温度帯室用のシャッターを使用者が手動で閉めることで冷気風路１１０，１１２を塞ぎ、冷却を停止する。
【００３５】
また、冷却停止の解除は、使用者が手動で閉じているシャッターを開くことで行う。
【００３６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００３７】
１  冷凍冷蔵庫本体
２  冷蔵室
２ａ  冷蔵室扉
３  冷凍室１
３ａ  冷凍室１扉
４  冷凍室２
４ａ  冷凍室２扉
５  野菜室
５ａ  野菜室扉
１０１  冷蔵室用電動開閉ダンパ
１０２  冷却器
１０３  野菜室用電動開閉ダンパ
１０４  圧縮機
１０５  冷却選択スイッチ
１０６  野菜室温度切替スイッチ
１０７  冷凍室用電動開閉ダンパ
１０８  温度補償ヒータ
１０９  手動シャッター
１１０，１１２  冷気風路
１１１  冷却予約手段
【図１】
2015021654.tif 000003
【図２】
2015021654.tif 000004
【図３】
2015021654.tif 000005
【図４】
2015021654.tif 000006
【図５】
2015021654.tif 000007
【図６】
2015021654.tif 000008